(57)【要約】      （修正有）【課題】漏液の防止の確実性を確保した上で、容易な構造によって漏液防止を行う。【解決手段】オイルタンク３の直下に防液槽Ａを備える。【効果】給油口や取出し口からオイルが漏れ出しても、漏れ出して落下するオイルは、防液槽に受容されることによって、地面への流れ出しを防止することができる。また、オイルタンクの平面周囲が防液槽の平面周囲縁から平面視においてはみ出さないので、落下するオイルを防液槽によって確実に受容することができる。【選択図】図1
0003103073.tif 000002
【実用新案登録請求の範囲】
【請求項１】
オイルタンクの直下に防液槽を備えてなることを特徴とするオイルタンク。
【請求項２】
防液槽の平面周囲縁が、平面視においてオイルタンクの平面周囲と同位置、または平面視においてオイルタンクの平面周囲の外側に位置していることを特徴とする請求項１に記載のオイルタンク。
【請求項３】
防液槽は、着脱可能に備えられていることを特徴とする請求項１または請求項２に記載のオイルタンク。
【請求項４】
オイルタンクの給油口に取り付けられる給油口用受け皿と、当該受け皿と外部を連通するパイプとからなる油受けを備えてなることを特徴とする請求項1ないし請求項３いずれか1項に記載のオイルタンク。
【請求項５】
オイルタンクの取出し口に取り付けられる取出し口用受け皿と、当該受け皿と外部を連通するパイプとからなる油受けを備えてなることを特徴とする請求項1ないし請求項３いずれか1項に記載のオイルタンク。
【請求項６】
給油口用受け皿は、オイルタンクのフランジに嵌め合わせて固定する固定部と、固定部と一体の皿板部と、皿板部の周囲に皿板部と一体に立ち上げた周壁部とからなる受皿本体と、当該受け皿本体の開放部を開閉可能に塞ぐ蓋部とを、備えていることを特徴とする請求項４に記載のオイルタンク。
【請求項７】
取出し口用受け皿は、オイルタンクのフランジに嵌め合わせて固定する固定部を有した容器であり、当該容器には作業窓が備えられていることを特徴とする請求項５に記載のオイルタンク。
【請求項８】
油受けをオイルタンクに対して着脱可能としたことを特徴とする請求項３ないし請求項７いずれか１項に記載のオイルタンク。
【考案の詳細な説明】
【技術分野】
【０００１】
本考案は、灯油、ガソリン、各種オイル類等を貯蔵するのに用いられるオイルタンクに関する。
【背景技術】
【０００２】
漏液防止構造を備えたオイルタンクとして、本願出願人が実用新案登録出願したものが有る。
このオイルタンクは、オイルタンクの給油口に取り付けられる給油口用受け皿と、当該受け皿と外部を連通するパイプとからなる油受けと、オイルタンクの取出し口に取り付けられる取出し口用受け皿と、当該受け皿と外部を連通するパイプとからなる油受けとを備えてなるものであり、当該油受けが給油口および取出し口から漏れる油を受けることによって漏液を防止するようにしたものである。
（特許文献１参照）
【特許文献１】実用新案登録第3098946号（〔００１２〕、〔００１７〕、図１）
【考案の開示】
【考案が解決しようとする課題】
【０００３】
本願出願人は、漏液の防止の確実性を確保した上で、容易な構造によって漏液防止を行うために、鋭意研究の結果本願考案に至った。
【０００４】
そこで本考案は、漏液の防止の確実性を確保した上で、容易な構造によって漏液防止を行うことを課題とし、この課題を解決するオイルタンクの提供を目的とする。
【課題を解決するための手段】
【０００５】
本考案は、上記目的を達成するために下記の技術的手段を採用した。
その技術的手段は、オイルタンクの直下に防液槽を備えてなることを特徴とするオイルタンクである。（請求項１）
【０００６】
この場合、防液槽の平面周囲縁を、平面視においてオイルタンクの平面周囲と同位置、または平面視においてオイルタンクの平面周囲の外側に位置させる（請求項２）ことが好ましい。
また、防液槽はオイルタンクに対して固定していてもよいが、掃除やメンテナンスの容易性向上から着脱可能に備える（請求項３）ことが好ましい。
また、オイルタンクの給油口に取り付けられる給油口用受け皿と、当該受け皿と外部を連通するパイプとからなる油受けを備えてなること（請求項４）、オイルタンクの取出し口に取り付けられる取出し口用受け皿と、当該受け皿と外部を連通するパイプとからなる油受けを備えてなる（請求項５）ことが好ましい。
【０００７】
給油口用受け皿は、たとえば、オイルタンクのフランジに嵌め合わせて固定する固定部と、固定部と一体の皿板部と、皿板部の周囲に皿板部と一体に立ち上げた周壁部とからなる受皿本体と、当該受け皿本体の開放部を開閉可能に塞ぐ蓋部とを備えている構成が例示できる。（請求項６）
取出し口用受け皿は、たとえば、オイルタンクのフランジに嵌め合わせて固定する固定部を有した容器であり、当該容器には作業窓が備えられた構成が例示できる。（請求項７）
油受けは、オイルタンクに対して固定しておいてもよいが、油受けを着脱可能とする（請求項８）ことが好ましい。
【考案の効果】
【０００８】
請求項１の考案によれば、仮に、給油口や取出し口からオイルが漏れ出しても、漏れ出して落下するたオイルは、防液槽に受容されることによって、地面への流れ出しを防止することができる。
また、請求項２の考案によれば、オイルタンクの平面周囲が防液槽の平面周囲縁から平面視においてはみ出さないので、落下するオイルを防液槽によって確実に受容することができる。
また、請求項３の考案によれば、防液槽を着脱可能にしているので、防液槽の掃除やメンテナンスを容易に行うことができる。
また、請求項４および請求項５の考案によれば、漏れ出したオイルは、受け皿によって外部への漏れを防止し、その受け皿のオイルをパイプを通して外部の受容器に案内することができる。
また、請求項６の考案によれば、請求項４の構成を具体的に実施できるとともに、固定部によって油受けを既存のオイルタンクに備えることによって、本願考案のオイルタンクを構成することができ、かつ蓋部が雨水等の水分の受け皿への流入を防止することによって、オイルの溢れ出しを防止することができる。
また、請求項７の考案によれば、請求項５の構成を具体的に実施できるとともに、固定部によって油受けを既存のオイルタンクに備えることによって、本願考案のオイルタンクを構成することができ、かつ、作業窓から各種作業を行うことができる。
また、請求項８の考案によれば、油受けが着脱可能であるので、油受けを取り外すことによって油受けの掃除やメンテナンスを容易に行うことができる。
したがって、漏液の防止の確実性を確保した上で、容易な構造によって漏液防止を行うという目的を達成したオイルタンクを提供することができる。
【考案を実施するための最良の形態】
【０００９】
以下、本考案の実施例を図面に基づいて説明する。
図１は、防液槽Ａおよび油受け１、２を備えたオイルタンク３を示し、図中符号３１は給油口、符号３２は取出し口、符号３３はフランジ、符号３４はオイルタンク３の支持脚である。
本実施例のオイルタンク３は、一般家庭で使用される灯油を貯蔵するホームタンクと呼ばれているものである。
【００１０】
防液槽Ａは、平面視長方形の略箱状に形成されたものであり、前記支持脚３４に取り付けられたアングルＡ１に着脱可能に載置されている。
防液槽Ａは、その長手方向幅がオイルタンク３の長手方向幅と同幅とし、短手方向幅がオイルタンク３の短手方向幅よりも幅広としてあり、これによって、漏れ出したオイルを確実に受容できるようにしている。
符号Ａ２は、防液槽Ａに受容されたオイルを抜き取るドレンである。
なお、本実施例では、防液槽ＡをアングルＡ１に載置する構造を例示しているが、本考案では、この構造に限定するものではなく、たとえば、ボルト・ナットナットによって防液槽ＡとアングルＡ１を固定するようにしてもよいものである。
【００１１】
油受け１は給油口３１用のものであり、油受け２は取出し口３２用のものである。
油受け１は、図１ないし図３に示すように、給油口用受け皿５と、当該受け皿と外部を連通するパイプ６を備えて構成されている。
給油口用受け皿５は、フランジ３３に嵌め合わせて固定する固定部５１と、固定部５１と一体に連結された皿板部５２と、皿板部５２の周囲に皿板部５２と一体に立ち上げた周壁部５３とからなる受皿本体５Ａと、当該受け皿本体５Ａの開放部５４を開閉可能に塞ぐ蓋部５Ｂとを備えて構成されている。
【００１２】
蓋部５Ｂは、周壁部５３の後側に前後方向回動可能に軸支され、この支軸を中心にして回動することによって開放部５４を開閉するようにしている。
パイプ６は、油入り口６１が皿板部５２の前方に連通状に連結され、油出口６２が受容器９に挿入されている。
【００１３】
固定部５１は、皿板部５２の後端をフランジ３３に対して上下方向から着脱可能に嵌め合わせられる断面略逆向きＵ型に形成されている。
また、この固定部５１の後端面からビス５１２を貫通締め付けすることによって、油受け１をフランジ３３に固定し、緩めることによってフランジ３３から取り外すようにしている。
【００１４】
皿板部５２は、前方へ向かって傾斜しており、漏れたオイルをパイプ６に案内するようにしている。
また、皿板部５２には給油口３１の径よりも大径とする貫通孔５２１が開孔されている。
前記貫通孔５２１には、給油口３１周りに密着する径の貫通孔９１を有したパッキン９２が固着されており、前記貫通孔９１に給油口３１を貫通させることによって、給油口用受け皿５が給油口３１に対して水密構造が構成された状態で油受け１がオイルタンク３に取り付けられる。
【００１５】
周壁部５３は、皿板部５２の周囲を囲むように設けられており、上端側は蓋部５Ｂが適合する形状とし、下端側をオイルタンク２の形状に沿って適合する形状としている。
【００１６】
油受け２は、図１、図４および図５に示すように、取出し口用受け皿７と、当該受け皿と外部を連通するパイプ８を備えて構成されている。
取出し口用受け皿７は、フランジ３３に嵌め合わせて固定する固定部７１を有した容器状に形成されている。
取出し口用受け皿７の上端縁には、水密を確保するためのパッキン９３が配設されており、このパッキン９３がオイルタンク３に密着することによって、油受け１の取り付け状態において、油受け１とオイルタンク３の水密構造を構成するようにしている。
パイプ８は、油入り口８１が取出し口用受け皿７の最下部に連通状に連結され、油出口８２が受容器９に挿入されている。
【００１７】
取出し口用受け皿７の前面には、作業窓７２が備えられている。
前記作業窓７２は、取出し口用受け皿７に対して水密状、かつ着脱可能に取り付けた透明の蓋体７３を有しており、水抜きや油抜き時において蓋体７３を取り外し、通常時には取り付けておく。
なお、符号７４は、家屋内の暖房装置に配管するパイプである。
【００１８】
固定部７１は、取出し口用受け皿７の左右上端に、フランジ３３を挟むクリップ７２を固着し、このクリップ７２の側面に、ビス７２１を貫通締め付けすることによって、油受け２をフランジ３３に固定し、緩めることによってフランジ３３から取り外すようにしている。
【００１９】
本実施例の油受け１，２およびオイルタンク３によれば、漏れたオイルを油受け１，２が受け止めて、パイプ６，８内へ案内し、パイプ６，８から出るオイルは受容器９に受容される。
油受け１，２は着脱可能であるので、油受け１，２の清掃やメンテナンスが容易に行える。
【００２０】
なお、本考案は例示した実施例に限定されるものではなく、実用新案登録請求の範囲された内容から逸脱しない範囲で他の構成による実施が可能である。
【図面の簡単な説明】
【００２１】
【図１】本考案にかかるオイルタンクを示す。
【図２】図1の側面図。
【図３】要部拡大断面図。
【図４】油受けの斜視図。
【図５】要部拡大断面図。
【図６】油受けの分解斜視図。
【符号の説明】
【００２２】
Ａ：防液槽
Ａ１：アングル
１：油受け
２：油受け
３：オイルタンク
５：給油口用受け皿
６：パイプ
７：取出し口用受け皿
８：パイプ
９：受容器
５Ａ：受け皿本体
５Ｂ：蓋部
５１：固定部
５２：皿板部
５３：周壁部
７１：固定部
【図１】
0003103073.tif 000003
【図２】
0003103073.tif 000004
【図３】
0003103073.tif 000005
【図４】
0003103073.tif 000006
【図５】
0003103073.tif 000007
【図６】
0003103073.tif 000008